(57)【要約】【課題】圧縮包帯に使用するのに適した抗菌材料を提供すること。【解決手段】吸収性繊維と織り合わされた合成エラストマー繊維と少なくとも１種の殺菌剤とを含むエラストマー抗菌材料であって、前記殺菌剤は、形成後の前記繊維に適用され、繊維上の殺菌剤の濃度は、約０．０１ｍｇ／ｃｍ２から約０．１ｍｇ／ｃｍ２であることを特徴とするエラストマー抗菌材料を提供する。【選択図】図１
2008036387.tif 000002
【特許請求の範囲】
【請求項１】
吸収性繊維と織り合わされた合成エラストマー繊維と少なくとも１種の殺菌剤とを含むエラストマー抗菌材料であって、
前記少なくとも１種の殺菌剤は、形成後の前記繊維に適用され、
前記繊維上の前記少なくとも１種の殺菌剤の濃度は、約０．０１ｍｇ／ｃｍ２から約０．１ｍｇ／ｃｍ２であることを特徴とするエラストマー抗菌材料。
【請求項２】
前記繊維は、非水性アルコール溶液中に抗菌剤を含む抗菌組成物によって処理されることを特徴とする請求項１に記載の材料。
【請求項３】
約１５０％から約１８０％の伸び率を有し、復元率が約１００％から約１０７％であることを特徴とする請求項１に記載の材料。
【請求項４】
前記少なくとも１種の殺菌剤は、実質上水に不溶であることを特徴とする請求項１に記載の材料。
【請求項５】
前記少なくとも１種の殺菌剤は、アルコールに可溶であることを特徴とする請求項１に記載の材料。
【請求項６】
前記少なくとも１種の殺菌剤は、トリクロサンまたはクロロキシレノールであることを特徴とする請求項１に記載の材料。
【請求項７】
抗菌組成物の全重量に対して、少なくとも５０重量％である少なくとも１種のアルコールと、
アルコールとは異なる少なくとも１種の殺菌剤と
を含むことを特徴とする抗菌組成物。
【請求項８】
前記少なくとも１種の殺菌剤は、実質上水に不溶であることを特徴とする請求項７に記載の組成物。
【請求項９】
前記少なくとも１種の殺菌剤は、アルコールに可溶であることを特徴とする請求項７に記載の組成物。
【請求項１０】
前記少なくとも１種の殺菌剤は、前記抗菌組成物の重量に対して、約０．０１重量％から約１０重量％の量で存在することを特徴とする請求項７に記載の組成物。
【請求項１１】
前記少なくとも１種の殺菌剤は、トリクロサンまたはクロロキシレノールであることを特徴とする請求項７に記載の組成物。
【請求項１２】
前記少なくとも１種のアルコールは、Ｃ１〜Ｃ６アルコールであることを特徴とする請求項７に記載の組成物。
【請求項１３】
前記少なくとも１種のアルコールは、イソプロピルアルコールおよびエタノールの混合物であり、前記抗菌組成物の約５０重量％から約９５重量％の量で存在することを特徴とする請求項７に記載の組成物。
【請求項１４】
さらにポリマーを含むことを特徴とする請求項７に記載の組成物。
【請求項１５】
前記ポリマーは、前記抗菌組成物の重量に対して約０．００１重量％から約５重量％の量で存在することを特徴とする請求項１４に記載の組成物。
【請求項１６】
実質上水に不溶であることを特徴とする請求項７に記載の組成物。
【請求項１７】
エラストマー抗菌生地を調製する方法であって、
合成エラストマー繊維と吸収性繊維とを用意するステップと、
前記合成エラストマー繊維を前記吸収性繊維と織り合わせて生地を形成するステップと、
前記合成エラストマー繊維および／または前記吸収性繊維に、抗菌組成物の全重量に対して少なくとも５０重量％の少なくとも１種のアルコールと、アルコールと異なる少なくとも１種の殺菌剤とを含む抗菌組成物を適用するステップと
を含むことを特徴とする方法。
【請求項１８】
前記繊維を、抗菌組成物を含有する槽に浸漬することを特徴とする請求項１７に記載の方法。
【請求項１９】
前記繊維に、抗菌組成物を噴霧することを特徴とする請求項１７に記載の方法。
【請求項２０】
前記抗菌組成物を、パッドまたはスクリーン印刷によって繊維に適用することを特徴とする請求項１７に記載の方法。
【請求項２１】
前記適用ステップを、織込みステップより前に実行することを特徴とする請求項１７に記載の方法。
【請求項２２】
前記少なくとも１種の殺菌剤は、実質上水に不溶であることを特徴とする請求項１７に記載の方法。
【請求項２３】
前記少なくとも１種の殺菌剤は、アルコールに可溶であることを特徴とする請求項１７に記載の方法。
【請求項２４】
前記少なくとも１種の殺菌剤は、前記抗菌組成物の重量に対して約０．０１重量％から約１０重量％の量で存在することを特徴とする請求項１７に記載の方法。
【請求項２５】
前記少なくとも１種の殺菌剤は、トリクロサンまたはクロロキシレノールであることを特徴とする請求項１７に記載の方法。
【請求項２６】
前記少なくとも１種のアルコールは、Ｃ１〜Ｃ６アルコールであることを特徴とする請求項１７に記載の方法。
【請求項２７】
前記少なくとも１種のアルコールは、イソプロピルアルコールおよびエタノールの混合物であり、前記抗菌組成物の約５０重量％から約９５重量％の量で存在することを特徴とする請求項１７に記載の方法。
【請求項２８】
さらにポリマーを含むことを特徴とする請求項１７に記載の方法。
【請求項２９】
前記ポリマーは、前記抗菌組成物の重量に対して約０．００１重量％から約５重量％の量で存在することを特徴とする請求項２７に記載の方法。
【請求項３０】
前記繊維上の前記少なくとも１種の殺菌剤濃度は、約０．０１ｍｇ／ｃｍ２から約０．１ｍｇ／ｃｍ２であることを特徴とする請求項１７に記載の方法。
【発明の詳細な説明】
【技術分野】
【０００１】
本発明は、抗菌特性を有する圧縮包帯およびこの包帯の製造方法に関する。
【背景技術】
【０００２】
多くの身体的傷害、特に、通常、広く挫傷といわれる傷害は、痛みがあり、組織の損傷と、発生する皮膚下の出血と、それに続いて起こるかなりの腫れのために、負傷者に多大の不快感をもたらす。腫れは、傷害をより苦痛なものとし何もできない状態にする。腫れを小さくできれば苦痛と不快感も小さくでき、あるいは取り除くことさえもできることが長い間認識されてきた。このため、腫れを最小限にする試みで傷害が起こった後できるだけ早く身体の負傷した部分にアイスパックまたは類似の手段を適用することが従来行われてきた。しかしながらこの技法は、特定の状態および状況下でのみ都合よく使用できる。例えば、アイスパックなどは、ある種の傷害に対してだけ都合よく適用でき、かかるアイスパックの使用は、通常負傷した領域の上および周りに、腫れをできるだけ小さくするのに適当な圧縮をすることはできない。さらに、アイスパックを適用した場合、負傷者はほとんど自由に動くことができない。
【０００３】
それに対して圧縮包帯は、挫傷した身体部分など、身体の負傷部分の周りを迅速かつ容易に包み込むことにより、続いて起こる身体の負傷領域の腫れを最小限にすることができる。かかる包帯を使用して、負傷した身体部分の上および周りを適当に圧縮することができ、同時に負傷した部分を、冷却および蒸発の両方によって冷やすことを可能にする。この包帯は、清潔で無毒とすることができ、皮膚にくっついたり付着しないように作ることができるので、不快感をもたらしたり、皮膚を清浄化する必要なしに、包帯を負傷した身体部分から容易にはがすことができる。
【０００４】
人間および動物の治療において、織布エラストマー圧縮包帯が長い間使用されてきた。かかる包帯は、弛緩した状態から長手方向に約２倍に引き伸ばすことができ、伸ばした状態で、患者の身体の治療されている部分、すなわち、外肢、胴部などに巻きつけて適用される。
【０００５】
いくつかの一般的な種類の織布エラストマー圧縮包帯が利用可能である。一種類において、収縮力が、ゴムなどのエラストマー材料のたて糸によって供給される、「スパンデックス（Ｓｐａｎｄｅｘ）」材料がＥ．Ｉ．ｄｕＰｏｎｔ  ｄｅ  Ｎｅｍｏｕｒｓ  ａｎｄ  Ｃｏ．などから入手可能である。他の種類において、収縮力は、ナイロンなどの材料の「ストレッチ」ヤーンから形成されるたて糸によって提供される。これら後者の糸は、それらの主な伸縮特性を、マルチ糸の端部を作り上げている個々のフィラメントの形態的特徴（例えば、縮れなど）から得ている。
【０００６】
その伸縮性をエラストマー材料に依存している織布エラストマー包帯は、一般的に、織地の幅方向の空間に位置するエラストマーたて糸を有し、エラストマーたて糸の間の区域に非エラストマーたて糸（例えば、木綿糸）を配置されている。かかる構成において、エラストマーたて糸は、織方１×１の横糸ピックで織り合わされ、木綿のたて糸は、織方２×２の横糸ピックで織り合わされている。
【０００７】
この包帯は、小型でコンパクトな形態で包装され、貯蔵して再使用することもできる。しかしながら、包帯を着けているときは、皮膚および汗との接触を通して、細菌が集まり不快な臭いを発生して包帯を洗濯する必要が生じる。このことは、不便であるとともに望ましくない。さらに、洗濯を繰り返すことは、包帯の耐用期間を短くすると思われる。
【０００８】
包帯材料上の臭いは、包帯材料に浸透してそこに止まることができるさまざまな細菌によって生ずることもある。さまざまな抗菌材料が知られている。
【０００９】
特許文献１は、繊維およびそれから形成された物品を含むセルロース繊維材料のネオマイシンを使用した仕上げを開示している。処理に適した材料、および所要のネオマイシンの存在によって、抗菌処理の種類および能力が制限される。さらに、特許文献１で開示されている抗菌組成物には金属イオンが使用されている。
【００１０】
特許文献２は、菌類や細菌などの有害生物の働きに対して生地を保護し、その保護が洗濯と清浄化作業を繰り返した後でも維持される方法を開示している。
【００１１】
特許文献３は、水溶性殺菌性金属塩をアリザジニル化合物と錯化して、アリザジニル金属付加体を含有する溶液を生成することによって調製される殺菌組成物を開示している。これらの溶液は、次いで生地上に適用される。
【００１２】
特許文献４は、天然繊維と合成繊維との完全な混合物を含む複合体抗菌糸を開示している。抗菌組成物は、繊維を形成する前に原材料に加えられる。抗菌剤の一部が、繊維の表面に移動することが開示されている。しかしながら、抗菌組成物が繊維の形成の前に加えられるので、所望の結果を実現するためには、大量の抗菌剤を使用しなければならない。
【００１３】
特許文献５は、裏地と表地を有する生地構造を開示している。少なくとも一方の生地は、その中に抗菌剤を組み込んだ合成繊維から形成された糸で少なくとも一部が作られている。いくつかの実施形態において、結び糸が両面を添え糸として結びつける。２枚の生地における糸の接触が最小限でも、抗菌剤は一方の生地中の処理済繊維内部からその表面に移動し、さらに他方の生地中の糸へと移ると書かれている。したがって、一方の生地の天然産、未処理繊維の利点を維持しながら、両方の生地面に抗菌保護が与えられると主張している。これもまた、抗菌組成物が繊維形成の前に加えられるので、所望の結果を実現するためには、特に他の繊維への抗菌剤の移動が必要な場合には、多量の抗菌剤を使用しなければならない。
【００１４】
特許文献６は、身体分泌物を吸収し、細菌の増殖を大幅に低減させるための処理済繊維を含むセルロース繊維および製品を開示している。繊維は、遷移金属の水溶性塩とアルカリで化学的に処理され、この後、ビスビグアニド化合物の溶液で繊維、遷移金属およびビスビグアニドの間に結合を形成させる。この特許は、所望の効果を実現するためには、セルロース材料を使用する必要があるので、抗菌処理の適用は非常に制限される。さらに、水溶性抗菌化合物を使用することによって、洗濯の間に耐久性が低下するという結果になり得る。
【００１５】
特許文献７は、水分を管理する多層構造のエラストマー編地を開示している。この生地は、２つの機能的に異なるしかも統合された層、すなわち、疎水性糸を含む水分移動層と、親水性糸を含む第２の水分分散層とを有する。
【００１６】
特許文献８は、その配合に抗菌剤を組み込んだポリウレタンエラストマー糸を開示している。抗菌剤は、糸または繊維へと紡糸または押出しされる前にベースポリウレタンに組み込まれ、これによって抗菌剤が均質フィラメントへと組み込まれる。
【００１７】
特許文献９は、抗菌特性を有するように処理することもできる袖編ギブス裏地を開示している。このギブス裏地は、水を吸収しないよう設計されている。
【００１８】
特許文献１０は、ポリエステルおよび抗菌剤を含有するアセテート繊維より成る抗菌材料を開示している。洗濯中の耐久性を達成するために、抗菌組成物を、繊維形成の前にアセテートに組み込まなければならない。しかしながら、この方法はより高価で、所望する結果を実現するためには、かなりの量の抗菌組成物を必要とする。
【００１９】
抗菌特性を持つ材料を提供するためにいくつかの開発がなされてきたが、生産するのが容易かつ廉価で、洗濯サイクルの必要がより少なく、その抗菌特性が洗濯を繰り返した後も維持できる圧縮包帯を作製するのに使用することができる抗菌繊維マトリックスを提供する必要性が依然として存在する。同様に、かかる材料の生産を可能にすることができる抗菌組成物も必要とされる。
【００２０】
【特許文献１】米国特許第３，０７２，５３４号明細書
【特許文献２】米国特許第３，１１６，２０７号明細書
【特許文献３】米国特許第３，５４７，６８８号明細書
【特許文献４】米国特許第３，９５９，５５６号明細書
【特許文献５】米国特許第４，３４３，８５３号明細書
【特許文献６】米国特許第５，８５６，２４８号明細書
【特許文献７】米国特許第５，２９７，２９６号明細書
【特許文献８】米国特許第６，４７９，１４４号明細書
【特許文献９】米国特許出願第２００５／００２７２１９号明細書
【特許文献１０】米国特許出願第２００２／０１４６９５０号明細書
【発明の開示】
【発明が解決しようとする課題】
【００２１】
本発明の目的は、圧縮包帯として使用することができ、生産するのが容易かつ廉価であり、より少ない洗濯サイクルを必要とし、その抗菌特性が洗濯を繰り返した後も維持できる抗菌特性を有する材料を提供することである。
【００２２】
本発明の別の目的は、抗菌材料を提供するために使用することのできる抗菌組成物を提供することである。
【００２３】
さらに本発明の別の目的は、抗菌材料を得るために繊維を処理することのできる方法を提供することである。
【課題を解決するための手段】
【００２４】
本発明によるエラストマー抗菌材料は、吸収性繊維と織り合わされた合成エラストマー繊維および少なくとも１種の殺菌剤を含む。殺菌剤は形成後の繊維に適用され、材料上の殺菌剤の濃度は、約０．０１ｍｇ／ｃｍ２から約０．１ｍｇ／ｃｍ２である。
【００２５】
本発明に従って、抗菌組成物は、抗菌組成物の全重量に対して少なくとも５０重量％の少なくとも１種のアルコール、およびアルコールとは異なる少なくとも１種の殺菌剤を含む。組成物は、非水性アルコール溶液の形態であることが好ましい。組成物はポリマーを含むこともできる。
【００２６】
抗菌組成物は、繊維を織り合わせて生地を形成する前後のいずれでも繊維に適用することができる。適用方法には、浸漬、噴霧乾燥、およびパッドまたはスクリーン印刷が含まれる。抗菌組成物を適用した後に、繊維を乾燥することが好ましい。
【発明を実施するための最良の形態】
【００２７】
本発明は、包帯材料のマトリックス内に少なくとも１種の抗菌剤を含有する圧縮包帯を形成するのに使用できる材料に関する。また本発明は、複数回洗濯した後でも抗菌効果の持続する抗菌剤システムの混合物の選択に関する。
【００２８】
材料は、エラストマー細片の形態で作製されることが好ましい。この細片は、使用者の身体部分を適切に包み込むことができるように、長さ寸法が幅寸法より十分に長いことが好ましい。一般的に、弛緩した状態において材料のエラストマー細片は、長さを約３６インチ（９０ｃｍ）、幅を約６インチ（１５ｃｍ）とすることができる。勿論これらの寸法は単なる例示であり、変えることができる。
【００２９】
前処理した生地は、例えば、ＡＣＥ（商標）ブランドのエラストマー包帯（ＡＣＥは、Ｂｅｃｔｏｎ、Ｄｉｃｋｉｎｓｏｎ  ａｎｄ  Ｃｏｍｐａｎｙ、Ｆｒａｎｋｌｉｎ  Ｌａｋｅｓ、ニュージャージー州の登録商標である）とすることができる。本発明に従って、材料を使用することのできる特定の現行ＡＣＥ（商標）製品には、それだけには限らないが、ＡＣＥ（商標）Ｅ−Ｚ  Ｃｌｉｐ（２インチ（５．１ｃｍ）、３インチ（７．６ｃｍ）、４インチ（１０．２ｃｍ）、および６インチ（１５．２ｃｍ）包帯）；ＡＣＥ（商標）Ｖｅｌｃｒｏ  Ｆａｓｔｅｎｅｒ（２インチ（５．１ｃｍ）、３インチ（７．６ｃｍ）および４インチ（１０．２ｃｍ）包帯）；ＡＣＥ（商標）Ｓｅｌｆ  Ａｄｈｅｒｉｎｇ  Ａｔｈｌｅｔｉｃ  Ｂａｎｄａｇｅ（２インチ（５．１ｃｍ）、３インチ（７．６ｃｍ）および４インチ（１０．２ｃｍ）包帯）；ＡＣＥ（商標）Ｈｏｔ＆Ｃｏｌｄ  Ｃｏｍｐｒｅｓｓ；ＡＣＥ（商標）Ｈｏｔ＆Ｃｏｌｄ  Ｃｏｍｐｒｅｓｓｉｏｎ  Ｗｒａｐ；ＡＣＥ（商標）Ｈｏｔ＆Ｃｏｌｄ  Ｃｏｍｂｏ  Ｐａｃｋ；ＡＣＥ（商標）Ａｎｋｌｅ  Ｂｒａｃｅ−Ｗｏｖｅｎ（小型、中型、および大型）；ＡＣＥ（商標）Ｋｎｅｅ  Ｂｒａｃｅ−Ｗｏｖｅｎ（小型、中型、および大型）；ＡＣＥ（商標）Ｓｉｄｅ  Ｓｔａｂｉｌｉｚｅｒｓ付きＫｎｅｅ  Ｂｒａｃｅ−Ｗｏｖｅｎ（小型、中型、および大型）；ＡＣＥ（商標）Ｅｌｂｏｗ  Ｂｒａｃｅ−Ｗｏｖｅｎ（小型、中型、および大型）；ＡＣＥ（商標）Ｒｉｇｉｄ  Ｗｒｉｓｔ  Ｂｒａｃｅ−Ｗｏｖｅｎ（小型、中型、および大型）；ＡＣＥ（商標）Ｗｒｉｓｔ  Ｂｒａｃｅ−Ｗｏｖｅｎ（１サイズ）；Ｔｅｎｓｏｒ  Ｅ−Ｚ  Ｃｌｉｐ（２インチ（５．１ｃｍ）、３インチ（７．６ｃｍ）、４インチ（１０．２ｃｍ）、および６インチ（１５．２ｃｍ）包帯）；Ｔｅｎｓｏｒ  Ｖｅｌｃｒｏ  Ｆａｓｔｅｎｅｒ（２インチ（５．１ｃｍ）、３インチ（７．６ｃｍ）および４インチ（１０．２ｃｍ）包帯）；Ｔｅｎｓｏｒ  Ｓｅｌｆ  Ａｄｈｅｒｉｎｇ  Ａｔｈｌｅｔｉｃ  Ｂａｎｄａｇｅ（２インチ（５．１ｃｍ）、３インチ（７．６ｃｍ）および４インチ（１０．２ｃｍ）包帯）；Ｔｅｎｓｏｒ  Ｈｏｔ＆Ｃｏｌｄ  Ｃｏｍｐｒｅｓｓ；Ｔｅｎｓｏｒ  Ｈｏｔ＆Ｃｏｌｄ  Ｃｏｍｐｒｅｓｓｉｏｎ  Ｗｒａｐ；Ｔｅｎｓｏｒ  Ａｎｋｌｅ  Ｂｒａｃｅ−Ｗｏｖｅｎ（小型、中型、および大型）；Ｔｅｎｓｏｒ  Ｋｎｅｅ  Ｂｒａｃｅ−（小型、中型、および大型）；Ｔｅｎｓｏｒ  Ｋｎｅｅ  Ｂｒａｃｅ  ｗｉｔｈ  Ｓｉｄｅ  Ｓｔａｂｉｌｉｚｅｒｓ−Ｗｏｖｅｎ（小型、中型、および大型）；Ｔｅｎｓｏｒ  Ｅｌｂｏｗ  Ｂｒａｃｅ−Ｗｏｖｅｎ（小型、中型、および大型）；Ｔｅｎｓｏｒ  Ｒｉｇｉｄ  Ｗｒｉｓｔ  Ｂｒａｃｅ−（小型、中型、および大型）；およびＴｅｎｓｏｒ  Ｗｒｉｓｔ  Ｂｒａｃｅ−Ｗｏｖｅｎ（１サイズ）が含まれる。
【００３０】
本発明に従って、材料は、約１５０％から約１８０％、より好ましくは約１６０％から約１７５％の伸び率を有することが好ましい。復元率は、約１００％から約１０７％、より好ましくは約１０２％から約１０６％であることが好ましい。しかしながら、これら特性値は、製造する必要のある製品の種類に応じて変えることができる。
【００３１】
包み込んだ後の接着性を得るため、包帯の接触面の間に別個に接着剤を使用することもできるが、使用上の便宜のためには、包帯の反対側の面を自着性とすることが好ましい。包帯の自着性特性は、包帯の除去が包帯を作っている材料の凝集破壊ではなくて、接着剤の結合破壊によって達成されるように、接着剤接合部の結合強度を包帯それ自体の強度より弱くして、包帯を取り除くときに包帯が破壊されないことが好ましい。例えば、包帯の自着性特性は、Ｖｅｌｃｒｏ（登録商標）を使用することによって実現することができる。
【００３２】
殺菌剤は、包帯材料に組み込まれ、包帯が汗を吸収しまたは皮膚フローラと接触したときに、細菌の増殖を抑制し、包帯の通常の着用の間に、包帯に止まる細菌の量を低減する。臭気発生細菌のコロニー形成が減少することによって、包帯は使用時により新鮮な香りを維持できる。したがって、包帯はそれほど頻繁に洗濯する必要がなく、抗菌剤で処理していない同じ包帯よりも長期間持続して使用できる。
【００３３】
本発明で使用される材料は、編んだ繊維ではなく織り合わせた繊維を含む。これら２種類の材料の違いは、例えば、図１および図２において示される。図１は、編地を示している。繊維１のセット（例えばポリエステル）は、縦方向に伸びており、もう１つの繊維２のセット（例えば、木綿／ポリエステル／ゴムテープ）は、横（水平）方向に伸びている。これは、繊維の二次元オープンニット配置である。
【００３４】
図２は、織地を示す。図２において、繊維３のセット（例えば、木綿／ポリエステル／ゴム）は、縦方向（「ｙ」方向）と観察者に向かいかつ観察者から離れる方向（「ｚ」方向）の両方に伸びている。繊維４の別のセット（例えば、ポリエステル）は、「ｙ」繊維と「ｚ」繊維の間を織り合わせて、水平方向（「ｘ」方向）に伸びている。この構造は三次元生地である。
【００３５】
したがって、材料の織地構造は、抗菌剤または殺菌剤を保持するための三次元マトリックスを提供し、上で考察した、二次元配置であるニット構造よりもより大きくかつ長く継続する抗菌効果をもたらすはずである。
【００３６】
さらに、重要なことは、抗菌剤を繊維の形成の前に原材料に添加する代わりに、繊維が既に形成されてから繊維に抗菌組成物が適用されることである。この適用方法は、殺菌剤を繊維の形成前に加える場合に必要な量より、ずっと少ない量の殺菌剤の使用を可能とする。例えば、適用後の材料上の殺菌剤の濃度は、約０．１ｍｇ／ｃｍ２を超える必要がない。事実上、この濃度は約０．０１ｍｇ／ｃｍ２と低くてもよい。
【００３７】
驚くべきことに、出願人達は、本発明に従って、エラストマー織地を形成する繊維に対して抗菌剤を添加することによって、複数回の洗濯の後でも長く継続する抗菌効果がもたらされることを発見した。以前は、抗菌剤の局所性投与によって、かかる耐久性は達成できないと考えられていた（特許文献１０参照）。
【００３８】
本発明による殺菌剤は、実質的に水に不溶である。この殺菌剤の溶解度は、約１５ｍｇ／Ｌ未満であることが好ましく、約１０ｍｇ／Ｌ未満であることがさらに好ましい。包帯は、一般的に洗濯機中温水で洗濯されるので、水に対する低い溶解性によって、抗菌剤が包帯材料上に残存して抗菌効果を長期間にわたって提供し続けることが可能になる。
【００３９】
本発明に従って、殺菌剤の組込みは、殺菌剤を適用する材料の強度を弱めてはならない。同様に、抗菌剤はこの材料の気体透過を減少させてはならない。
【００４０】
本発明に従って、包帯材料に適用する抗菌組成物は、１つまたは複数のアルコールを含むことが好ましい。適切なアルコールには、例えば、エタノール、イソプロパノール、プロパノール、ブタノールまたはこれらのアルコールの任意の組合せが含まれる。このアルコールは、エタノールまたはイソプロパノールなどの、Ｃ１〜Ｃ６低級アルコールであることが好ましい。Ｃ１〜Ｃ６低級アルコールが、イソプロピルアルコールとエタノールの、約１：１０から約１：１の比率の混合物であることがより好ましい。１つまたは複数のアルコールは、抗菌組成物の全重量に対して少なくとも５０重量％、好ましくは約５０重量％から９５重量％の量で存在する。本発明の抗菌組成物は、（上記の通り）アルコールとは異なる少なくとも１種の抗菌または殺菌剤をさらに含むことができる。
【００４１】
適用後の材料上の抗菌剤の濃度が、約０．０１ｍｇ／ｃｍ２から約０．１ｍｇ／ｃｍ２であることが好ましい。濃度は、約０．０２ｍｇ／ｃｍ２から約０．０５ｍｇ／ｃｍ２であることがより好ましい。
【００４２】
本明細書で使用される、「殺菌剤（ｂｉｏｃｉｄａｌ  ａｇｅｎｔ）」、「抗菌剤（ａｎｔｉｍｉｃｒｏｂｉａｌ  ａｇｅｎｔ）」および「殺生剤（ｂｉｏｃｉｄｅ）」という用語は、望ましくない生物を駆除し、繁殖、増殖および増加を抑制または防止する薬剤を指す。これらの用語は、同義語的に使用される。
【００４３】
「菌」という用語には、それだけに限定されないが、微生物、細菌、波動膜細菌、スピロヘータ、胞子、芽胞形成性生物、グラム陰性菌、グラム陽性菌、酵母類、菌類、かび、ウィルス、好気性生物、嫌気性生物およびマイコ細菌が含まれる。
【００４４】
かかる生物の具体的な例には、黒色アスペルギルス（Ａｓｐｅｒｇｉｌｌｕｓ  ｎｉｇｅｒ）、アスペルギルスフラーブス（Ａｓｐｅｒｇｉｌｌｕｓ  ｆｌａｖｕｓ）、クモノスカビ属ニグリカン（Ｒｈｉｚｏｐｕｓ  ｎｉｇｒｉｃａｎｓ）、クラドスポリウム属ハーバリウム（Ｃｌａｄｏｓｐｏｒｉｕｍ  ｈｅｒｂａｒｉｕｍ）、有毛表皮糸状菌（Ｅｐｉｄｅｒｍｏｐｈｙｔｏｎ  ｆｌｏｃｃｏｓｕｍ）、毛瘡白癬菌（Ｔｒｉｃｈｏｐｈｙｔｏｎ  ｍｅｎｔａｇｒｏｐｈｙｔｅｓ）、ヒストプラズマカプスラーツム（Ｈｉｓｔｏｐｌａｓｍａ  ｃａｐｓｕｌａｔｕｍ）などの菌類；緑膿菌（Ｐｓｅｕｄｏｍｏｎａｓ  ａｅｒｕｇｉｎｏｓａ）、大腸菌（Ｅｓｃｈｅｒｉｃｈｉａ  ｃｏｌｉ）、変形菌（Ｐｒｏｔｅｕｓ  ｖｕｌｇａｒｉｓ）、黄色ブドウ球菌（Ｓｔａｐｈｙｌｏｃｏｃｃｕｓ  ａｕｒｅｕｓ）、表皮ブドウ状球菌（Ｓｔａｐｈｙｌｏｃｏｃｃｕｓ  ｅｐｉｄｅｒｍｉｓ）、大便連鎖球菌（Ｓｔｒｅｐｔｏｃｏｃｃｕｓ  ｆａｅｃａｌｉｓ）、クレブシエラ属菌（Ｋｌｅｂｓｉｅｌｌａ）、アエロゲネス腸内菌（Ｅｎｔｅｒｏｂａｃｔｅｒ  ａｅｒｏｇｅｎｅｓ）、ミラビリス変形菌（Ｐｒｏｔｅｕｓ  ｍｉｒａｂｉｌｉｓ）などの細菌、他のグラム陰性菌および他のグラム陽性菌、ミコバクチンなど、ならびに出芽酵母（Ｓａｃｃｈａｒｏｍｙｃｅｓ  ｃｅｒｅｖｉｓｉａｅ）、カンジダアルビカンス（Ｃａｎｄｉｄａ  ａｌｂｉｃａｎｓ）などの酵母類などが含まれる。さらに、微生物の胞子、ウィルスなどは、本発明の範囲内の菌である。
【００４５】
本発明において使用するのに適した殺菌剤には、それだけには限らないが、フェノール、四級アンモニウム殺生剤、塩素放出殺生剤、キノリン、キナルジウム、チオセミカルバゾン、キノン、サルファ、カルバメート、サリチルアミド、カルバニリド、アミド、グアニド、アミジン、キレートおよびイミダゾリン殺生剤などの殺菌剤が含まれる。
【００４６】
本発明に使用することのできる他の適切な殺生剤には、例えば、酢酸、安息香酸、プロピオン酸、デヒドロ酢酸、亜硫酸、バニリン酸、ｐ−ヒドロキシ安息香酸のエステル、２−ブロモ−２−ニトロプロパン−１，３−ジオール、ホルムアルデヒド、グルタルアルデヒド、次亜塩素酸カルシウム、次亜塩素酸カリウム、（種々の溶媒中の）ヨウ素、ポビドンヨウ素、ヘキサメチレンテトラミン、ノキシチオリン、塩化１−（３−クロロアリル）−３，５，７−トリアゾ１−アゾニアアダマンタン、タウロリジン、タウルルタム、ＥＤＴＡ、Ｎ（５−ニトロ−２−フルフリリデン）−１−アミノ−ヒダントイン、５−ニトロ−２−フルアルデヒドセミカルバゾン、３，４，４’−トリクロロカルバニリド、３，４’，５−トリブロモサリチルアニリド、サリチルアニリド、３−トリフルオロメチル−４，４’−ジクロロカルバニリド、８−ヒドロキシキノリン、１−シクロプロピル−６−フルオロ−ｌ，４−ジヒドロ−４−オキソ−７−（１−ピペラジニル）−３−キノリンカルボン酸、１，４−ジヒドロ−ｌ−エチル−６−フルオロ−４−オキソ−７−（１−ピペラジニル）−３−キノリンカルボン酸、過酸化水素、過酢酸、オキシクロロセンナトリウム、パラクロロメタキシレノール、２，４，４’−トリクロロ−２’−ヒドロキシジフェノール、スルファジアジン銀および硝酸銀が含まれる。
【００４７】
さらなる適切な殺生剤には、アクリジン、アクリフラビン、塩酸アミナクリン、ヘミ硫酸プロフラビン、トリフェニルメタン、マゼンタ、クリスタルバイオレット、スカーレットレッド、パラローザニリン、ローザニリンなどの染料；次亜塩素酸ナトリウム、オキシクロロセン、クロラミン、ジクロロジメチルヒダントイン、ハラゾン、ジクロールアミン、クロラシン、スクシンクロルイミド、トリクロロイソシアヌル酸、ジクロロイソシアヌレート、トリクロロメラミン、ジクロログリコルリル、ハロゲン化ジアルキル−ヒダントイン、ハランなどの塩素放出殺生剤；デクアリニウム、ラウロリニウム、ヒドロキシキノリン、リオキノール、クロルキナルドール、ハルキノール、アミノキヌリド、ベンゾキシキン、ブロキシキノリン、クロロキシン、クロキシキン、エチルヒドロクプレイン、ユープロシン、ヒドラシチン、８−ヒドロキシキノリン、８−ヒドロキシキノリン硫酸塩およびヨードクロルヒドロキシキンなどのキナルジニウムおよびキノリン殺生剤；ピリジニウム殺生剤、塩化ベンザルコニウム、セトリミド、塩化ベンゼトニウム、塩化セチルピリジニウム、クロルフェノクチウムアムソネート、酢酸デクアリニウム、塩化デクアリニウム、ドミフェンブロミド、酢酸ラウロリニウム、塩化メチルベンゼトニウム、塩化ミリスチル−γ−ピコリニウム、塩化オルタホニウム、および塩化トリクロビソニウムを含む四級アンモニウム殺生剤；グリセオフルビン、ニトロフルフラール、ニトロフラゾン、ニトロフラントイン、フラゾリドン、フラルタドン、２−（メトキシメチル）−５−ニトロフラン、ニドロキシゾン、ニフロキシムおよびニフルジドなどのフラン；塩素化フェノール、クレゾール、チモール、カルバコール、アセトメロクトール、フェンチクロール、クロロクレゾール、クロロキシレノール、ヘキサクロロフェン、ビスフェノール、アミルメタクレゾール、ビチオノール、クロロチモール、ジクロロキシレノール、クロロフェン、ｐ−クロロフェノール、ｐ−フェニルフェノール、トリニトロフェノール、ジクロロビスフェノール、ブロモクロロビスフェノール、１−サリチル酸ナフチル、２−サリチル酸ナフチル、２，４，６−トリブロモ−ｍ−クレゾール、および３’，４’，５−トリクロロサリチルアニリドなどのフェノール殺生剤；プロピオラクトンなどのラクトンが含まれる。
【００４８】
本発明の使用に適した他の殺生剤の例には、クロルヘキシジン、グルコン酸クロルヘキシジン、酢酸クロルヘキシジン、塩酸クロルヘキシジン、ジブロモプロパミジン、ハロゲン化ジフェニルアルカン、ジブロムサラン、メタブロムサラン、トリブロムサラン、カルバニリド、サリチルアニリド、テトラクロロサリチルアニリド、トリクロロカルバニリド、プロパミジンイセチオネート、ペンタミジン、ピクロキシジン、メンダルアミン、酸添加および第四、マンテル酸メテンアミン、ポリオキシメチレンジエステル、ポリオキシメチレンジアセテートなどのポリオキシメチレンエステルなど、およびそれらの混合物が含まれる。
【００４９】
特に好ましい殺生剤には、トリクロサン、クロルヘキシジンジヒドロクロリド、グルコン酸クロルヘキシジン、酢酸クロルヘキシジン、クロルヘキシジンジアセテート、トリクロサン、クロロキシレノール、塩化デクアリニウム、塩化ベンゼトニウム、塩化ベンズアルコニウムおよびこれらの混合物が含まれる。さらに、１つまたは複数の殺菌剤が、抗菌組成物の全重量に対して、約０．０１〜１０重量％、より好ましくは約０．０１〜５重量％の量で存在することが好ましい。
【００５０】
抗菌組成物は、（パッド、スクリーン）印刷を通してまたは溶液槽を使用するなどのさまざまな方法を使用して包帯材料に適用することができる。さらに抗菌組成物は、製織の前あるいは後に繊維に適用することができる。
【００５１】
例えば、抗菌剤は、以下のように適用することもできる。包帯の生地を、クロルヘキシジン基剤、トリクロサン、クロロキシレノール、ヘキサクロロフェン、レゾルシノール、フェノールなどの抗菌剤の混合物を含有する抗菌溶液に浸すか、または抗菌溶液を噴霧（例えば超音波噴霧）する。次いで生地材料を、例えば熱を用いて処理して溶媒を蒸発させ、生地材料のポリマーマトリックス内部に抗菌剤を残す。
【００５２】
包帯材料上に抗菌剤が長く止まるようさらに改善するため、包帯材料に適用する抗菌溶液にポリマーを含めることもできる。具体的に言えば、包帯材料に溶液を含ませるかまたは材料を溶液に浸して、熱処理ステップ中に溶媒を蒸発させるときに、抗菌剤が生地材料のマトリックスへとポリマーによって密着する。ポリマーは、洗濯中に抗菌剤が取り除かれるのを防止する助けとなる。この適用に適したポリマーは、例えば、エチルセルロースなど、水には不溶であるがアルコールには可溶であることが好ましい。アクリルポリマーも使用することができる。
【００５３】
本発明に従って、抗菌組成物は、室温における単純な混合によって調製することができる。一般的に、アルコールと水を、使用する場合は最初に混合し、次いで他の成分を任意の順序で加える。表１に、本発明に従って使用できる抗菌組成物のいくつかの例を列挙する。
【００５４】
【表１】
2008036387.tif 000003
【００５５】
表１に示す配合物１〜９は、下記表２に特定される成分を使用して調製された。
【００５６】
【表２】
2008036387.tif 000004
【００５７】
以下の実施例は、本発明の例示である。
【実施例１】
【００５８】
３個のＺｉｐｌｏｃｋ（登録商標）バッグを研究室に持ち込んだ。各バッグは、３つの異なるＡＣＥ（商標）の包帯または補強材料の細片を含有していた。１つの細片は、カタログ番号２０７６０４（ＡＣＥ（商標）Ｂａｎｄａｇｅ  ４”−ライトベージュ色）の一部で、１つの細片はカタログ番号２０７２２９（ＡＣＥ（商標）Ｎｙｌｏｎ  Ａｎｋｌｅ  Ｂｒａｃｅ−暗褐色）の一部で、もう１つの細片はカタログ番号２０７５２５（ＡＣＥ（商標）Ｅｌａｓｔｏ−ｐｒｅｎｅ  Ａｎｋｌｅ  Ｓｕｐｐｏｒｔ−黒色）の一部であった。
【００５９】
各材料の試料細片を、多数の１０ｍｍサークルに切断した。１０ｍｍサークルの試料の１／３は、対照試料として使用し、１／３は試験試料として水中の２％クロロキシレノール溶液で処理し、１／３も試験試料として、エチルアルコール中の２％クロロキシレノール溶液で処理した。クロロキシレノール溶液は、１０ｍｍのサークル試料を溶液中に置き、試料を取り出し、次いで過剰の溶液を絞り出して適用した。
【００６０】
トリプチケースソイブロス増殖寒天を含有するペトリ皿に、菌１種を接種した。生地試料を接種プレートの中心の表面に置いた。接種プレートを覆い、３０℃から３５℃において一夜培養した。試料と菌の増殖が明白な個所との間の距離、すなわち阻止帯を測定した。試料と、試料の周りの菌が増殖し始めた個所との間の距離が大きくなるほど、試料の菌に対する抑制、すなわち、処理した生地の効果が大きくなる。
【００６１】
結果を表３に示す。
【００６２】
【表３】
2008036387.tif 000005
【００６３】
大腸菌（Ｅ．ｃｏｌｉ）および黄色ブドウ球菌（Ｓ．ａｕｒｅｕｓ）は、人間の皮膚上で見られる最も一般的な菌であり、黄色ブドウ球菌は、該微生物のほぼ８０％を構成する。水中またはエチルアルコール溶液中のクロロキシレノールを含有する試験試料は、クロロキシレノール溶液を含まない対照試料と較べて、両種の菌に対して有意な抑制および効力を示した。クロロキシレノール／水溶液に浸漬した試験試料とクロロキシレノール／エチルアルコール溶液に浸漬した試験試料との間に有意差はない。さらに、処理した材料の全てが菌を抑制すると思われるので、本実験で試験した材料の間に有意差はない。
【実施例２】
【００６４】
カタログ番号２０７６０４（ＡＣＥ（商標）Ｖｅｌｃｒｏ  Ｆａｓｔｅｎｅｒ−４インチ包帯）のＡＣＥ（商標）包帯に、トリクロサン（１％）、イソプロピルアルコール（７０％）および水（２９％）の溶液（表１の配合物８）を、超音波噴霧器を使用して噴霧した。抗菌剤の付加した量は、０．０２ｍｇ／ｃｍ２であると計算された。処理した包帯を、１１個の均等な試料に分割した。試料１はそのままさらに処理せずに残した。これを、以下の表４〜７に「洗濯なし」試料として示す。試料２は、洗濯石鹸と温水を用いて、３０分間の洗濯サイクルで洗濯し、次いで衣類乾燥機で２０分間空気乾燥した。この試料を表４〜７に「洗濯１回」として示す。他の試料は、続いてさらに２〜１０回の追加の洗濯／乾燥サイクルで洗濯、乾燥を行い、それぞれ「洗濯２回」〜「洗濯１０回」と示した。
【００６５】
この解析において、抗菌溶液を噴霧しなかった包帯の試料も使用し対照試料として役立てた。
【００６６】
以下の生物体を、トリプチケースソイブロス中に置き、３０℃から３５℃で一夜培養した。 
緑膿菌（Ｐ．ａｅｒｕｇｉｎｏｓａ（ＡＴＣＣ  ＃２７８５３））
カンジダアルビカンス（Ｃ．ａｌｂｉｃａｎｓ（ＡＴＣＣ  ＃１０２３１））
大腸菌（Ｅ．ｃｏｌｉ（ＡＴＣＣ  ＃２５９２２））
黄色ブドウ球菌（Ｓ．ａｕｒｅｕｓ（ＡＴＣＣ  ＃２５９２３））
【００６７】
終夜増殖した上記の菌は、ＴＳＡプレート上に均等に広がっていた。各１２個の試料からの４個のディスク（対照、洗濯なし、および洗濯１回〜洗濯１０回）を、上記の菌の１種を接種した寒天プレート上においた。この工程を、各試料バッグが、各菌に関する寒天プレート上に４個のディスクが置かれるまで継続した。
【００６８】
プレートを３０℃から３５℃で一夜培養し、次いで阻止帯を観察した。この観察結果を、以下の表４〜７に示す。
【００６９】
【表４】
2008036387.tif 000006
【００７０】
【表５】
2008036387.tif 000007
【００７１】
【表６】
2008036387.tif 000008
【００７２】
【表７】
2008036387.tif 000009
【００７３】
イソプロピルアルコールおよび水中のトリクロサンの混合物で処理した包帯が、大腸菌および黄色ブドウ球菌に対して著しい抑制を示した。これら包帯の効果は、１０回の洗濯および乾燥サイクルを通して維持された。
【００７４】
これら実験結果は、本発明のさまざまな利点を実証している。例えば、イソプロピルアルコールおよび水中のトリクロサンの溶液は、人間の皮膚の表面上で見出される２種の主要な菌に対して有効である。適用の方法および配合は、１０回の洗濯／乾燥サイクルを通して効果を維持するのに十分であった。織布包帯の三次元特性によって、大きな表面積で抗菌剤と接触することが可能になり、良好な抑制を保証する。重要なことは、これらの結果が、抗菌溶液の極端に低い濃度、すなわち０．０２ｍｇ／ｃｍ２においても達成されることであった。
【００７５】
本発明を、その詳細な説明と関連して記述したが、前述の説明は例示を目的とするものであって、添付の特許請求の範囲で定義する本発明の範囲を制限するものではない。他の態様、利点、および修正も特許請求の範囲内である。
【図面の簡単な説明】
【００７６】
【図１】約１５％まで引き伸ばしたたて編地の顕微鏡写真である。
【図２】約１５％まで引き伸ばした織地の顕微鏡写真である。
【図１】
2008036387.tif 000010
【図２】
2008036387.tif 000011
【外国語明細書】
2008036387000001.pdf